(57)【要約】【課題】従来のお菓子用包装容器はイメ−ジ効果の高いものでないので、デザイン的にも形態的にもアッピ−ルする小判型包装容器を提供する。【解決手段】適度な柔軟性と腰の強さを有し、かつ、表面に金色彩色を施した薄板で形成されるものであって、前記した薄板により、所定の幅と長さを有する帯板３の表面に厚み線４を複数本表示した容体２となる帯板３を形成し、その帯板３に、前記薄板で形成される断面形状がコの字状の底蓋６と上蓋７を一組とするする小判型の包装容器１とする。【選択図】図１
0003121887.tif 000002
【実用新案登録請求の範囲】
【請求項１】
適度な柔軟性と腰の強さを有し、かつ、表面に金色彩色を施した薄板で形成される容器であって、前記した薄板により、所定の幅と長さを有する帯板の表面に厚み線を複数本表示した容体となる帯板を形成し、その帯板に、薄板で形成される断面形状がコの字の底蓋と上蓋を一組とする構成を特徴とする小判型の包装容器。
【請求項２】
上記する容体が、平面形状が小判型を成し、かつ筒状に一体形成して成る請求項１に記載する小判型の包装容器。
【請求項３】
適度な柔軟性と腰の強さを有し、かつ、表面に金色彩色を施した一枚の薄板で形成される容器であって、前記薄板面の中ほどに、複数本の厚み線を表示した帯板の一方端部に係止突片を設け、その係止突片の差し込み用の切れ目を対向側の端部寄りに設けた帯板を位置し、その帯板の下辺中ほどに係止突片付き底蓋を設けるとともに、前記帯板に設けた切れ目部位の上辺端部寄りに係止突片付き上蓋を位置し、かつ、その上蓋の対向側の帯板下辺に切れ目付き保持突片を設けて成る前記上蓋の係止突片用の切れ目を、前記した下蓋部位の帯板上辺寄りに設けて成る構成を特徴とする小判型の包装容器。
【考案の詳細な説明】
【技術分野】
【０００１】  本考案は、お菓子等の販売において、話題性やイメ−ジ促進効果を得られる小判型の形態を成す包装容器に関する。
【背景技術】
【０００２】  従来より、食品、とりわけお菓子類に関する包装容器は、子供や若い女性の他に贈り物の対象ともなるので、包装容器のデザインや色、模様等は販売量にも影響を与えるほど大切な要素であるため、様々な形態の包装容器が提供されている。【０００３】  また、お菓子用に適した包装容器として、足を包む部分の本体部をパルプモ−ルド品を用いて形成した靴形包装容器の技術も提案されている。（例えば、特許文献１参照）
【特許文献１】実用新案登録第３０７９７３９号公報（第４−６頁、図１）
【考案の開示】
【考案が解決しようとする課題】
【０００４】  上記するようなお菓子用の包装容器や技術があり、それぞれ一定の効果はある。しかし、多様なニ−ズや好みなどに対応するには、さらなるデザインの面白さやイメ−ジアップできる包装容器が求められているが、十分にその期待に応えるものは提供されていない。【０００５】  また実用新案登録第３０７９７３９号公報に開示される包装容器は、形態としては古くからクリスマスの飾り容器として見られるものであり、その技術は、足を包む部分の本体部をパルプモ−ルドで形成しただけのものであって、包装容器の外観形状としては取り立て目新しいものではなく、クリスマス時期以外の使用においてはイメ−ジアップを期待できる包装容器ではない。
【課題を解決するための手段】
【０００６】  本考案は、上記するような不便や欠点を解消した包装容器とするために、請求項１においては、厚紙または薄いプラスチック板（以下、薄板と称す）の表面に金色彩色を施した薄板により、所定の幅と長さを有する帯板の表面に厚み線を複数本表示した帯板を容体とし、その容体に、薄板で形成される断面形状がコの字の底板と上蓋を一組とすることで、組み立てた際は小判を重ねて包んだ形態を成す小判型の包装容器とする。【０００７】  請求項２においては、上記する容体の平面形状が小判型を成す筒状に一体形成することにより、さらに組み立てを容易な包装容器とする。【０００８】  請求項３においては、金色彩色を施した一枚の薄板面の中ほどに、複数本の厚み線を表示した帯板の一方端部に係止突片を設け、その係止突片の差し込み口の切れ目を対向側の端部寄りに設けた帯板を位置し、その帯板の下辺中ほどに係止突片付き底蓋を設けるとともに、前記帯板に設けた切れ目部位の上辺端部寄りに係止突片付き上蓋を位置し、かつ、その上蓋の対向側の帯板下辺に切れ目付き保持突片を設けて成る前記上蓋の係止突片用の切れ目を、前記した下蓋部位の帯板上辺寄りに設けた一枚形成することで、保管時はきわめて薄く、折り上げると容易に形成できる包装容器とする。
【考案の効果】
【０００９】  本考案における包装容器は、表面に金色彩色を施した小判型の容器であるとともに、その容体となる帯板面には複数本の厚み線を表示しているので、小判を沢山重ねた様な形態を成す包装容器である。さらに、実施例１タイプのように帯封を掛けると、一層、その趣を高めるとともに、和紙で包んでも同様の効果を発揮する。加えて実施例２タイプは、一枚の薄板面に容体となる帯板を位置し、その上下に蓋板と底板を位置した各部材の周囲を一体にカットしたものを折り上げて包装容器を形成する一枚タイプであるので、輸送や保管時はきわめて少ないスペ−スで済むことはもとより、製造においては一枚の薄板をカットするだけで安価なコストである。【００１０】  また、本考案は手のひらに載るほどの少量単位のお菓子を包装するのに好ましいが、その少量単位の包装容器を複数個収める大型の菓子箱も小判型にすると面白く、さらにイメ−ジアップできる包装容器を提供できる。尚、考案の包装容器はお菓子を対象とするが、これ以外に事務用品や様々な小物グッズなどの包装容器としても使えるので、広範囲に対応できる容器であり、贈り物にすると話題性や意外性を発揮する包装容器となるので、多様なニ−ズに応えられる包装容器を提供する。
【考案を実施するための最良の形態】
【００１１】  販売イメ−ジを高め、かつ、形態の意外性でアッピ−ルさせられる包装容器とするために、適度な腰の強さと柔軟性がある厚紙または薄いプラスチック板による薄板素材に金色彩色した薄板で形成して成る大判又は小判（以下、小判型と称す）型の包装容器とする。
【実施例１】
【００１２】  本考案の小判型の包装容器を、図１に示す斜視図と図２に示す分解斜視図で説明する。本考案におけるいずれの小判型の包装容器１は、表面に金色彩色を施した薄板で形成するものとする。まず、実施例１の包装容器１は、適度な腰の強さと柔軟性を有する厚紙又は薄いプラスチック板による薄板により、容体２を形成する帯板３として、所定の幅と長さを有する薄板の表面に、複数本の厚み線４，４等間隔に表示した帯板３を形成し、他方、その帯板３を筒状にした下部開口部に取り付ける断面がコの字状の底蓋６と、上部開口部に取り付ける断面がコの字状の上蓋７面に文字模様表示５を表した上蓋７を形成するとともに、組み立てた包装容器１に掛け留める帯封８を一組とする小判型の包装容器１を構成する。【００１３】  実施例１の包装容器１を組み立てる際は、厚み線４付き帯板３を図２に示すように楕円状に曲げた合わせ目にセロテ−プ９を（登録商標）貼って容体２を作り、その容体２の下部開口部に底蓋６を嵌合し、他方、上部開口部には文字模様表示５（省略）した上蓋７を嵌合してから図１に示すように帯封８を掛けると、金色の小判を複数枚重ねた包みを成す形態の包装容器１を形成する。【００１４】  実施例１における包装容器１の容体２は組み立て時に帯板３を曲げ形成するが、他の実施例として、図３に示すように平面形状が小判型を成し、かつ帯板３Ａが筒状を成すように一体形成し、その表面に厚み線４を表示した容体２でもよい。【００１５】  さらに、上蓋７面に表示する文字模様表示５は、他の実施例として図４に示すような小判図柄模様でもよい。
【実施例２】
【００１６】  実施例２の小判型包装容器を、図５に示す展開図と図６に示す一部欠損した組み立て斜視図で説明する。実施例２においては、一枚の薄板面に、帯板３Ｂと底蓋６と上蓋７を位置した各部材周囲を一体にカットするものとし、組み立ては各部材の接合部を折って組み立てるものとする。【００１７】  表面に金色彩色を施した一枚の薄板面の中ほどに、所定の幅と長さで、かつ複数本の厚み線４，４を表示した帯板３Ｂを位置した一方端部に係止突片１０を設け、その係止突片を差し込む切れ目１１を対向側の端部寄りに付けた帯板３Ｂの下辺中ほどに、係止突片１０付き底蓋６を設け、他方、前記帯板３Ｂの切れ目１１部位の上辺端部に係止突片１０付き上蓋７を設けるとともに、その上蓋７の対向側の帯板３Ｂの下辺に、前記した上蓋７の係止突片１０を差し込む切れ目１１付き保持突片１２を設けて成る、前記底板６の対向側の帯板３Ｂ上辺寄りに、前記上蓋７の係止突片１０の差し込み用とする円弧状の切れ目１１を設けて成る小判型の包装容器１を構成する。【００１８】  以上のように実施例２を構成するが、その上蓋７面には文字模様表示５（図示せず）を表したり、また組み立てた包装容器１は、前記タイプの帯封８に代えて和紙で包んでもよい。さらに本考案における包装容器１は、いずれも少量のお菓子を収めるタイプであるが、その少量タイプの包装容器１を複数個収める大型の菓子箱を対象としてもよい。【００１９】  本考案の帯板３，３Ａ，３Ｂ面に表示した厚み線４の間隔は広く図示しているが、その間隔や本数は任意でよい。さらに文字模様表示５は上蓋７面のみであるが、底蓋６や帯封８に表してもよい。また、実施例１の容体２の組み立ては、テ−プを用いずに帯板３を曲げた上下に底蓋６と上蓋７を嵌合するだけでもよく、いずれも特に限定されるものではない。
【産業上の利用可能性】
【００２０】  本考案の包装容器はお菓子などを対象とする容器であるが、合成樹脂等により一体成形した丈夫な箱体にすることで、筆箱や小物入れ、その他、様々な容器やケ−スとしても適用することができる。
【図面の簡単な説明】
【００２１】
【図１】本考案の実施例１の小判型包装容器を示す斜視図である。
【図２】実施例１の小判型包装容器を示す分解斜視図である。
【図３】実施例１における、他の容体を示す斜視図である。
【図４】実施例１の上板に表示する、他の文字模様表示を示す平面図である。
【図５】実施例２の小判型包装容器を示す展開図である。
【図６】実施例２の小判型包装容器の組み立て状態を示す一部欠損斜視図である。
【符号の説明】
【００２２】  １  包装容器
２  容体
３  帯板
３Ａ  帯板
３Ｂ  帯板
４  厚み線
５  文字模様表示
６  底蓋
７  上蓋
８  帯封
９  セロテ−プ
１０  係止突片
１１  切れ目
１２  保持突片
【図１】
0003121887.tif 000003
【図２】
0003121887.tif 000004
【図３】
0003121887.tif 000005
【図４】
0003121887.tif 000006
【図５】
0003121887.tif 000007
【図６】
0003121887.tif 000008